(57)【要約】【課題】  表示内容を変更したいとき、表示板のように現場へ取替えに行く労力を要せず、しかも製作費用が安い、遊技装置等のための表示装置。また、それを用いた遊技装置および遊技システム。【解決手段】  表示層とそれを照明する平面状発光体、又は表示に適合する形状の発光体６１Ａ等と、各発光体に接続された電源接続部６２Ａ等を具え、それらが一体に構成された表示装置。遊技装置は、電源接続部に端子で接続できる出力接続部を具え、表示装置に電力を供給する。遊技システムは、この電力を制御する制御部を具える。【選択図】  図６
2006158931.tif 000002
【特許請求の範囲】
【請求項１】
光透過性または色の異なる少なくとも２つの部分から成る表示層と、
電気エネルギーにより発光し、前記表示層を照明する発光体と、
前記表示層および前記発光体を支持する支持体と、
前記発光体に前記電気エネルギーを供給するための電源接続部とから成り、
この電源接続部が前記支持体と一体に構成されたことを特徴とする表示装置。
【請求項２】
光透過性または色の異なる少なくとも２つの部分から成る表示層と、
前記表示層と一体に形成され、電気エネルギーにより発光する発光体と、
前記発光体に前記電気エネルギーを供給するための電源接続部と、
この電源接続部と前記表示層および前記発光体とを結合する結合手段から成ることを特徴とする表示装置。
【請求項３】
電気エネルギーにより発光する発光体と、
この発光体を支持する支持体と、
前記発光体に前記電気エネルギーを供給するための電源接続部とから成り、
前記発光体が所要の表示に対応する形状を有し、
前記電源接続部が前記支持体と一体に構成されたことを特徴とする表示装置。
【請求項４】
複数の前記発光体と、それぞれの前記発光体に対応する前記表示層と、それぞれの前記発光体に前記電気エネルギーを供給するための前記電源接続部を具える、請求項１または２の表示装置。
【請求項５】
複数の前記発光体と、それぞれの発光体に前記電気エネルギーを供給するための前記電源接続部を具える、請求項３の表示装置。
【請求項６】
遊技装置を識別するための表示装置と、
この表示装置に電力を供給する電源部を具え、
前記表示装置は、光透過性または色の異なる少なくとも２つの部分から成る表示層と、電気エネルギーにより発光し、前記表示層を照明する発光体と、前記表示層および前記発光体を支持する支持体と、前記発光体に電気エネルギーを供給するための電源接続部とから成り、
この電源接続部が前記支持体と一体に構成され、
前記電源部は、前記表示装置の前記電源接続部に接続できる出力接続部を具え、この出力接続部は前記電源接続部を安定に支持できることを特徴とする遊技装置。
【請求項７】
遊技装置を識別するための表示装置と、
この表示装置に電力を供給する電源部を具え、
前記表示装置は、電気エネルギーにより発光する発光体と、この発光体を支持する支持体と、前記発光体に電気エネルギーを供給するための電源接続部とから成り、
前記発光体が、所要の表示に対応する形状を有し、
前記電源接続部は前記支持体と一体に構成され、
前記電源部は、前記表示装置の前記電源接続部に接続できる出力接続部を具え、この出力接続部は前記電源接続部を安定に支持できることを特徴とする遊技装置。
【請求項８】
前記表示装置が、複数の前記発光体と、それぞれの発光体に前記電気エネルギーを供給するための電源接続部を具え、
前記電源部が、前記電源接続部に接続できる出力接続部を具える、請求項５または６の遊技装置。
【請求項９】
少なくとも２の遊技装置と、共通電源部と、この共通電源部を制御するための制御部を具え、
前記遊技装置は、遊技装置を識別するための表示装置と、この表示装置に電力を供給する個別電源部を具え、
前記表示装置は、光透過性または色の異なる少なくとも２つの部分から成る表示層と、電気エネルギーにより発光し、前記表示層を照明する少なくとも１の発光体と、前記表示層および前記発光体を支持する支持体と、前記発光体に前記電気エネルギーを供給するための電源接続部とから成り、
この電源接続部は前記支持体と一体に構成され、
前記個別電源部は、前記表示装置の前記電源接続部に接続できる出力接続部を具え、この出力接続部は前記電源接続部を安定に支持でき
前記共通電源部は、前記個別電源部に所要の電力を供給し、
前記制御部は、前記共通電源部および必要に応じて前記個別電源部に所要の信号を送信して、前記表示装置の発光体の発光を制御することを特徴とする遊技システム。
【請求項１０】
少なくとも２の遊技装置と、共通電源部と、この共通電源部を制御するための制御部を具え、
前記遊技装置は、遊技装置を識別するための表示装置と、この表示装置に電力を供給する個別電源部を具え、
前記表示装置は、電気エネルギーにより発光する少なくとも１の発光体と、この発光体を支持する支持体と、前記発光体に前記電気エネルギーを供給するための電源接続部とから成り、
前記発光体が、所要の表示に対応する形状を有し、
前記電源接続部は前記支持体と一体に構成され、
前記個別電源部は、前記表示装置の前記電源接続部に接続できる出力接続部を具え、この出力接続部は前記電源接続部を安定に支持でき、
前記共通電源部は、前記個別電源部に所要の電力を供給し、
前記制御部は、前記共通電源部および必要に応じて前記個別電源部に、所要の信号を送信して、前記発光体の発光を制御することを特徴とする遊技システム。
【請求項１１】
前記表示装置の少なくとも１つが、複数の前記発光体と、それぞれの発光体に前記電気エネルギーを供給するための電源接続部を具え、
前記個別電源部が、前記電源接続部に接続できる出力接続部を具える、請求項８または９の遊技システム。
【請求項１２】
前記制御部は、前記複数の前記発光体の発光をそれぞれ制御する信号を、前記共通電源部および前記個別電源部に送信する、請求項１０の遊技システム。
【請求項１３】
遊技装置を識別するための表示装置と、この表示装置に電力を供給する電源部を具え、
前記表示装置は、光透過性または色の異なる少なくとも２つの部分から成る表示層と、前記表示層と一体に形成され、電気エネルギーにより発光する発光体と、前記発光体に前記電気エネルギーを供給するための電源接続部と、この電源接続部と前記表示層および前記発光体とを結合する結合手段から成り、
前記電源部は、前記表示装置の前記電源接続部に接続できる出力接続部を具え、
前記結合手段は、前記電源部と前記電源接続部を接続するとき、およびこの接続を解除するとき、電源接続部と前記表示層および前記発光体との前記結合が破断されない程度の強度を有し、
前記出力接続部は前記電源接続部を安定に支持できることを特徴とする遊技装置。
【発明の詳細な説明】
【発明の詳細な説明】
【技術分野】
【０００１】  本発明は遊技装置に有用な表示装置、それを備えた遊技装置およびそれらを用いた遊技システムに関する。
【背景技術】
【０００２】  遊技場には多数のパチンコ機やスロットマシーンが備えられるが、それら相互を種々の観点で区別するため、個々の遊技装置には表示板が着けられる。この表示板は必要に応じて取り替えられ、あるいは取り外される。例えば、大きな当たりの出たゲーム機や、当たりが続いて出たゲーム機には、客の関心を引くため、その旨の表示をし、所定の時間が過ぎるとそれを取り外す。
【発明が解決しようとする課題】
【０００３】  遊技場の多数のゲーム機について、このような表示板を交換するには、多くの人手を要する。７セグメントの放電管や発光ダイオードから成る表示装置を用いれば、人手によらず電気的に表示を点滅したり、既設の範囲から表示を選択できるが、表示装置が一般に高価である。表示内容を変更しようとすると、放電管や発光ダイオードの列を別の表示形状のものに取替える必要が生じ、取り外しと取り付けに多くの手間と時間を要する。また、放電管の形態は定型的であるため、表示の多様性は制限されている。
【０００４】  また、スロットマシーンの遊技室は、雰囲気を出すために暗くすることがあり、このような場合には、室内が暗いため表示板が見にくい。
【０００５】  本発明の目的は、少ない労力で表示内容を変更でき、しかも安価な表示装置、それを備えた遊技装置およびそれらを用いた遊技システムを実現することにある。
また本発明の目的は、室内が暗くても表示がよく見える表示装置を具えた遊技装置およびそれらを用いた遊技システムを実現することにある。
【課題を解決するための手段】
【０００６】  これらの目的を達するため、本発明の表示装置は、光透過性または色の異なる少なくとも２つの部分から成る表示層と、電気エネルギーにより発光し、表示層を照明する発光体と、表示層および発光体を支持する支持体と、発光体に電気エネルギーを供給するための電源接続部とから成り、電源接続部が支持体と一体に構成されたことを特徴とする。
【０００７】  上記目的を達するため、本発明の遊技装置は、遊技装置を識別するための表示装置と、この表示装置に電力を供給する電源部を具え、表示装置は、光透過性または色の異なる少なくとも２つの部分から成る表示層と、電気エネルギーにより発光し、表示層を照明する発光体と、表示層および発光体を支持する支持体と、発光体に電気エネルギーを供給するための電源接続部とから成り、電源接続部が支持体と一体に構成され、電源部は、表示装置の電源接続部に接続できる出力接続部を具え、出力接続部は電源接続部を安定に支持できることを特徴とする。
【０００８】  また、上記目的を達するため本発明の遊技システムは、少なくとも２の遊技装置と、共通電源部と、共通電源部を制御するための制御部を具え、遊技装置は、遊技装置を識別するための表示装置と、この表示装置に電力を供給する個別電源部を具え、表示装置は、光透過性または色の異なる少なくとも２つの部分から成る表示層と、電気エネルギーにより発光し、表示層を照明する少なくとも１の発光体と、表示層および発光体を支持する支持体と、発光体に電気エネルギーを供給するための電源接続部とから成り、電源接続部は支持体と一体に構成され、個別電源部は表示装置の電源接続部に接続できる出力接続部を具え、出力接続部は電源接続部を安定に支持することができ、共通電源部は遊技装置の個別電源部に所要の電力を供給し、制御部は共通電源部に、または共通電源部と個別電源部に、表示装置の発光体の発光を制御するための信号を送ることを特徴とする。
【０００９】  本発明の表示装置、遊技装置、および遊技システムにおいて、支持体と一体に構成される電源接続部は、支持体が剛体の場合には、支持体と一体に剛体を形成するのが有利な場合がある。しかし電源接続部が支持体と変形（例えば屈曲）可能に連結されてもよい。支持体が可とう（撓）性の場合には、剛体を形成しない。
【００１０】  本発明の表示装置、遊技装置、および遊技システムにおいて、光透過性または色の異なる少なくとも２つの部分から成る表示層を省き、所要の表示に対応する形状の発光体を用いて、表示の目的を達してもよい。
【００１１】  （表示装置）
表示層の光透過性または色の異なる少なくとも２つの部分は、光透過性の部分と光不透過性の部分から成ってもよく、光透過性が多少異なる部分から成ってもよい。光透過性で色が異なってもよく、光透過性に差があり、かつ色が異なってもよい。
【００１２】  表示層自体に自己保持性があれば、支持体は必要としない。また、発光体自体に自己保持性があれば、支持体を必要としない。しかし、支持体を有しない場合、電源接続部は表示層または発光体、あるいはその両者と、結合手段により結合され、表示装置の電源接続部を電源部の出力接続部と接続するとき（例えば、プラグをレセプタクルに差し込むとき）、または接続を解除する場合（例えば、プラグをレセプタクルから抜くとき）に、電源接続部と表示層または発光体が離れてしまうことのないよう、それぞれ及び結合部が充分な強度を有する必要がある。
【００１３】  支持体は、表示層の発光体とは反対側にあるとき、透明であることが好ましい。また表示層と発光体の間に介在するとき、光透過性（半透明でも可）であることを要する。表示層と発光体が支持体の同じ面側にあるとき、光透過性である必要はないが、その面の光反射率は高い方が有利である。発光体自体が表示体であるときも、支持体は表示体が存在する面側の光反射率が高いことが好ましい。
【００１４】  支持体は剛性であってもよいが、その必要はなく、可とう（撓）性であってもよい。ただし、支持体は電源接続部と一体に形成され、電源接続部を電源部の出力接続部と接続するとき（例えば、プラグをレセプタクルに差し込むとき）、または接続を解除する場合（例えば、プラグをレセプタクルから抜くとき）に、電源接続部が離れてしまうことのないような強度を有する必要がある。
【００１５】  発光体は、表示層を伴う場合、膜状のものが好ましく、例えばＬＥＤやＬＣＤである。前述の支持体を有してもよく、それ自体が自己保持性であれば支持体を有しなくてもよい。それ自体が表示体として機能してもよく、この場合、発光体は線状、鎖状などで、所要の表示に対応する形状とする。例えば、文字の形状や、キャラクターの形状とする。
【００１６】  電源接続部は、例えばプラグである。導通端子は通常２個以上であるが、遊技システムの制御のための端子を有してもよい。電源接続部は、遊技装置の電源部の出力接続部に接続される。例えばプラグである場合、電源部のレセプタクルに差し込まれる。また、この接続は、例えばプラグをレセプタクルから抜くことにより、解除できる。電源接続部は、表示層または発光体の支持体がある場合、支持体と一体に構成される。支持体がない場合には、発光体または表示層、あるいはその両者と電源接続部とを結合するための結合手段を備える。電源接続部は、発光体の消費電力に対応する電流容量を有する必要がある。
【００１７】  結合手段は、表示装置の電源接続部を電源部の出力接続部と接続するとき（例えば、プラグをレセプタクルに差し込むとき）、または接続を解除する場合（例えば、プラグをレセプタクルから抜くとき）に、電源接続部と表示層または発光体が離れてしまうことのないよう、充分な強度を有する必要がある。
【００１８】（遊技装置）
遊技装置の電源部は、表示装置の電源接続部と接続できる出力接続部を有し、表示装置の発光体の発光に必要な電力を供給する。電圧は表示装置の発光体に適合するものとし、電力容量は、発光体の発光に必要な電力を確保するとともに、遊技装置本体の作動に必要な電力を確保する。
【００１９】  電源部の出力接続部は、表示装置の電源接続部との接続に適合し、電源接続部を安定に支持することができる構造とする。出力接続部は、表示装置の発光体の消費電力に対応する電流容量を少なくとも有する必要がある。
【００２０】  表示装置は、複数の発光体を具えてもよい。この場合、電源接続部はそれぞれの発光体に電力を供給できるような構造を具える。同時に電源部の出力接続部は、このような電源接続部との接続に適合する構造を有する必要がある。例えば、電源接続部と出力接続部はそれぞれ、発光体の数に応じた数の接点を備える（例えば、発光体の数プラス１）。
【００２１】（遊技システム）
遊技システムの共通電源部は、複数の遊技装置の個別電源部に、それぞれ必要な電力を分配、供給する。共通電源部を制御するための制御部は、共通電源部から各遊技装置の個別電源部に供給される電力を、必要に応じて制御する。表示装置（の発光体）に供給する電力を必要としない遊技装置の個別電源部には、電力の供給を停止する。あるいは、一部の遊技装置に対して電力を制限するように制御してもよい。
【００２２】  表示装置が複数の発光体を具える場合には、制御部は共通電源部のみでなく、個別電源部にも制御信号を送って、それらの発光体の発光を個々に制御する。例えば、３種の表示内容それぞれに対応する発光体を表示装置に具えるとき、所望の発光体を発光させるときは、それに対応する出力接続部の接点に選択的に電力を供給するように制御し、表示装置の電源接続部の、対応する接点を経て、所望の発光体を発光させる。特定の遊技装置に選択的に所望の表示を行うときには、この遊技装置の個別電源部に発光のための電力が供給されるよう、共通電源部を制御し、個別電源部は、この電力を所望の発光体に供給するように制御される。
【発明の効果】
【００２３】  本発明の表示装置は、表示層とそれを照明する発光体、または表示に適合する形状の発光体と、それらのための支持体と、電源接続部から成り、支持体と電源接続部は一体に構成されているので、表示内容を更新したいとき、遊技装置等への着脱が容易である。複数の発光体を具える場合には、電源接続部を介してそれぞれの発光体に供給される電力を必要に応じて制御することにより、表示装置を遊技装置に装着したままで表示内容を所定の範囲で選択できる。従って、表示板のような取り替えの労力を要せず、しかも装置の製作が少ない費用でできる。表示層と発光体が一体に構成され、結合手段により電源接続部に結合されている場合も、その効果は同じである。
【００２４】  本発明の遊技装置は表示装置と電源部から成り、表示装置は、表示層とそれを照明する発光体、または表示に適合する形状の発光体と、それらのための支持体と、電源接続部から成り、支持体と電源接続部は一体に構成され、電源部は表示装置の電源接続部に接続（かつ安定に支持）できる出力接続部を具えるので、電源部からの供給電力を必要に応じて制御することにより、表示内容を所定の範囲で容易に選択できる。それ故、表示板を用いる場合のように取り替えに労力を要せず、しかも、表示装置を一体に組み込んだ遊技装置より安い費用で製作できる。表示内容を更新する必要が生じたときも、表示装置の着脱は容易であり、表示装置は使用中遊技装置本体に安定に固定される。
【００２５】  本発明の遊技システムは、少なくとも２の遊技装置と、共通電源部と、制御部を具え、遊技装置は前述の特徴を有し、共通電源部は各遊技装置の個別電源部に所要の電力を供給し、制御部は表示装置の発光体の発光を制御するための信号を共通電源部等に送るように構成されているので、遊技装置は前述の利点を有し、共通電源部から各遊技装置の個別電源部に供給される電力を必要に応じて制御し、所望の遊技装置の表示を選択的に行うことができる。特に、表示装置が複数の発光体を具える場合には、制御部は共通電源部と個別電源部に制御信号を送って、それらを制御し、各遊技装置の所望の表示に対応する発光体を選択的に発光させ、あるいは発光を制御することができる。
【発明の実施の最良の形態】
【００２６】（構成）
図１は、本発明の表示装置を用いた遊技装置を含む遊技システムを示す。この遊技システムは遊技装置１Ａ，１Ｂ，１Ｃ、総電源部２、制御部３から成る。遊技装置１Ａ，１Ｂ，１Ｃはそれぞれ、遊技部１１Ａ，１１Ｂ，１１Ｃ、表示部１２Ａ，１２Ｂ，１２Ｃ、個別電源部１３Ａ，１３Ｂ，１３Ｃから成る。表示部１２Ａ等は電源接続部１４Ａ等を含み、個別電源部１３Ａ等は出力接続部１５Ａ等を含む。遊技部１１Ａ等は対応する個別電源部１３Ａ等に配線で接続され、個別電源部１３Ａ等は配線で総電源部２および制御部３に接続されている。電源接続部１４Ａ等は対応する出力接続部１５Ａ等に、後に説明する端子接点で接続されている。図１は、電源接続部１４Ａ等が対応する出力接続部１５Ａ等に接続された状態を示す。遊技部１１Ａ，１１Ｂ，１１Ｃは、例えば、パチンコ機やスロットマシーンである。
【００２７】  図２は表示部と個別電源部の細部の説明図である。表示部１２Ａ等を表示部２２で代表し、個別電源部１３Ａ等を個別電源部２３で代表して示す。表示部２２は電源接続部３２を、個別電源部２３は出力接続部３３を具える。図２は電源接続部３２が出力接続部２３に有効に接続された状態を示す。電源接続部３２は複数の端子接点３２ａ，３２ｂ，３２ｃ，３２ｕを具え、出力接続部３３は端子接点３３ａ，３３ｂ，３３ｃ，３３ｕを具え、端子接点３２ａ等の先端部は対応する端子接点３３ａ等に挿入することができ、それにより接続がなされる。端子接点３３ａ等は配線２５により個別電源部２３の本体の出力端子（符号なし）に接続されている。一方、表示部２２は表示体２２Ａ，２２Ｂ，２２Ｃを具え、それらの一方の端子は配線２４で端子接点３２ａ，３２ｂ，３２ｃにそれぞれ接続され、他方の端子は共通に端子接点３２ｕに接続されている。
【００２８】  図３は端子接点３２ａ，３３ａ等の構造を示す。端子接点３２ａは電源接続部３２の側壁を貫通して固定され、内側の一端は配線２４に接続されている。出力接続部３３の端子接点３３ａは固定導体４１、圧着導体４２、絶縁体４３、固定用ボルト４４から成る。圧着導体４２は固定導体４１に固定用ボルト４４で電気的に接続され、固定導体４１の一端は配線２５に接続されている。端子接点３３ａは端子接点３２ａと同軸に配置されているので、固定導体４１と圧着導体４２の間隙に端子接点３２ａが容易に挿入され、安定に支持される。
【００２９】（遊技システムの動作）
図１を参照しつつ、本発明の遊技システムおよび遊技装置の動作を説明する。遊技装置１Ａ等の具える表示部１２Ａ等は、制御部３の制御に従い総電源部２から個別電源部１３Ａ等に供給される電力により、表示部１２Ａ等が具える表示体（図１には示さず）を発光（または点灯）させる。表示部１２Ａ，１２Ｂ，１２Ｃは、制御部３の制御に従い、それらのいずれか１または２を選択的に発光（または点灯）表示させることもできるし、全てを発光または点灯表示させることも、また、させないこともできる。
【００３０】  図２を参照しつつ、本発明の遊技装置および表示部の動作を説明する。配線２４、電源接続部３２、出力接続部３３、配線２５を介して個別電源部２３に接続された表示体２２Ａ，２２Ｂ，２２Ｃは、総電源部２から個別電源部２３に供給される電力により、それぞれの表示パターンで発光または点灯する。表示体２２Ａ，２２Ｂ，２２Ｃは、制御部３の制御に従い、いずれか１または２を選択的に発光（または点灯。以下同じ）することもできるし、全てを発光させることも、発光させないこともできる。
【００３１】（表示装置の第２の形態）
図４は表示部（表示装置）とそれに対応する出力接続部の別の実施形態を示す。この表示装置は図１の表示部１２Ａ等に相当するが、２箇所に分かれた電源接続部５２Ａ，５２Ｂを有する。電源接続部５２Ａおよび５２Ｂは、表示部の遊技装置本体に近い辺の両端付近に設けられ、表示体５１Ａ、５１Ｂ、５１Ｃに配線５４により図示の通り接続されている。電源接続部５２Ａ、５２Ｂと必要に応じて接続される遊技装置の出力接続部も、出力接続部５３Ａ、５３Ｂの２箇所に分かれて設けられ、共に個別電源部２３に接続されている。出力接続部５３Ａは給電端子５３ａ，５３ｂを、出力接続部５３Ｂは給電端子５３ｃ，５３ｕを、それぞれ具え、電源接続部５２Ａは受電端子５２ａ，５２ｂ、電源接続部５２Ｂは受電端子５２ｃ，５２ｕを、それぞれ具える。受電端子５２ｕは表示体５１Ａ、５１Ｂ、５１Ｃに対して共通の端子である。
【００３２】  受電端子５２ａ，５２ｂが給電端子５３ａ，５３ｂに、受電端子５２ｃ，５２ｕが給電端子５３ｃ，５３ｕに、それぞれ挿入されると、接続が完成され、個別電源部２３から表示に必要な電力が表示体５１Ａ等に供給される。個別電源部２３から供給される電力は、制御部３により制御されるので、給電端子５３ａ，５３ｂ，５３ｃ，５３ｕおよび受電端子５２ａ，５２ｂ，５２ｃ，５２ｕを介して個別電源部２３に接続された表示体５１Ａ、５１Ｂ、５１Ｃは選択的に作動（発光または点灯）し、望みの表示を行うことができる。
【００３３】（表示装置の第２の形態の効果）
図４の表示装置は、遊技装置本体に近い辺の両端付近に電源接続部５２Ａ、５２Ｂが設けられ、各受電端子が出力接続部の各給電端子に挿入されることにより、出力接続部５３Ａ、５３Ｂに固定されるため、遊技装置本体に対し安定に支持されるという利点がある。
【００３４】（表示装置の構造）
図５は、図４の表示装置の線分Ｘ，Ｘに沿った断面を示す。表示装置は、白色の支持体５６、透明な支持体５７、及びそれらに挟まれた表示体５１Ａ，５１Ｂ，５１Ｃから成る。表示体５１Ａ，５１Ｂ，５１Ｃはそれぞれ、平面状の発光体５８Ａ，５８Ｂ，５８Ｃと表示層５９Ａ，５９Ｂ，５９Ｃとの対応する組み合わせから成る。発光体５８Ａ，５８Ｂ，５８Ｃが、図示しない配線により電源接続部５２Ａおよび５２Ｂ（破線で示す）に接続されているので、個別電源部２３から出力接続部を経て供給される電力により発光体５８Ａ等のいずれかが発光すると、対応する表示層５９Ａ等が照明され、透明な支持体５７を通して視認される。すなわち、表示体５１Ａ等が選択的に作動する。
【００３５】（表示装置の第３の形態）
図６は表示装置の第３の形態を示す。表示装置６０は、所要の表示に対応する形状の発光体６１Ａ、６１Ｂ、６１Ｃを具え、それらは電源接続部６２Ａ及び６２Ｂに、配線６４により図示の通り接続されている。電源接続部６２Ａ，６２Ｂはそれぞれ、電源接続部５２Ａ，５２Ｂと同じ構造を有し、出力接続部５３Ａ、５３Ｂ（図４参照）に接続することができる。
【００３６】  各受電端子５２ａ等が出力接続部の各給電端子に挿入されると、表示装置６０が遊技装置本体にしっかり保持されるとともに、接続が完成され、個別電源部２３から表示に必要な電力が発光体６１Ａ等に供給される。個別電源部２３から供給される電力は、制御部３により制御されるので、各給電端子及び各受電端子を介して個別電源部２３に接続された発光体６１Ａ、６１Ｂ、６１Ｃは、制御に従い選択的に発光し、それぞれの形状の発光により望みの表示を行うことができる。
【００３７】（実施の形態の効果）
図１ないし図４に示した遊技システム、遊技装置、または表示装置を用いると、望みの遊技装置に必要な表示をさせ、また遊技装置の表示部の表示内容から望みのものを選択して、表示することができる。表示内容を組み込んだものの範囲から選ぶ限り、表示装置を取替える必要がないから、表示板のように付け替えのために遊技装置の所に行く人手を要しない。図６に示した表示装置も同様の効果を奏する。表示部の表示内容を全く新たなものに更新する必要が生じたときには、遊技装置と表示装置の各接続部の接続を外せば、表示装置のみを取り出すことができるので、表示体を所要の新たな内容の表示体に置き換えればよい。表示体を、表示内容と無関係の形状の発光体（光源）と光透過率又は色彩の異なる表示層で構成する場合は、表示内容の変更は極めて簡単である。
【００３８】  図１ないし図６の実施形態では、遊技装置３台、表示装置の表示体が３個（表示内容が３種）の場合を示したが、これは説明のための例に過ぎず、遊技装置は１０台以上でも、さらに多数でもよく、表示の種類も必要に応じ多くの種類とすることが容易にできる。
【図面の簡単な説明】
【図１】  本発明の表示装置を用いた遊技装置を含む遊技システムを示すブロック図。
【図２】  表示部と個別電源部の細部の説明図。
【図３】  端子接点の構造を示す断面説明図。
【図４】  本発明の第２の実施の形態に相当する表示装置の説明図。
【図５】  本発明の表示装置の断面図。
【図６】  本発明の第３の実施の形態に相当する表示装置の説明図。
【符号の説明】
１Ａ，１Ｂ，１Ｃ  遊技装置
２                総電源部
３                制御部
１１Ａ，１１Ｂ，１１Ｃ  遊技部
１２Ａ，１２Ｂ，１２Ｃ  表示部
１３Ａ，１３Ｂ，１３Ｃ  個別電源部
１４Ａ，１４Ｂ，１４Ｃ  電源接続部
１５Ａ，１５Ｂ，１５Ｃ  出力接続部
２２    表示部
２２Ａ，２２Ｂ，２２Ｃ  表示体
２３    個別電源部
２４    配線
２５    配線
３２    電源接続部
３３    出力接続部
３２ａ，３２ｂ，３２ｃ，３２ｕ  端子接点
３３ａ，３３ｂ，３３ｃ，３３ｕ  端子接点
４１    固定導体
４２    圧着導体
４３    絶縁体
４４    固定用ボルト
５１Ａ、５１Ｂ、５１Ｃ  表示体
５２Ａ，５２Ｂ      電源接続部
５３Ａ、５３Ｂ      出力接続部
５３ａ，５３ｃ，５３ｂ，５３ｕ  給電端子
５２ａ，５２ｃ，５２ｂ，５２ｕ  受電端子
５４                配線
５６，５７          支持体
５８Ａ，５８Ｂ，５８Ｃ    発光体
５９Ａ，５９Ｂ，５９Ｃ    表示層
６０                  表示装置
６１Ａ、６１Ｂ、６１Ｃ    発光体
【図１】
2006158931.tif 000003
【図２】
2006158931.tif 000004
【図３】
2006158931.tif 000005
【図４】
2006158931.tif 000006
【図５】
2006158931.tif 000007
【図６】
2006158931.tif 000008